(57)【要約】【課題】  メモリの状態の如何に関わらず受信が可能なファクシミリ装置を提供する。【解決手段】  ネットワークに接続されたサーバ４と通信を行い、受信文書をサーバ４へ転送する通信・転送手段１９と、印刷できない状態を検知しサーバ４に受信文書を転送するよう通信・転送手段１９を制御する制御手段１７とを備えたファクシミリ装置。【選択図】  図２
2006173684.tif 000002
【特許請求の範囲】
【請求項１】
ネットワークに接続されたサーバと通信を行うファクシミリ装置において、前記サーバと通信を行い受信文書を前記サーバへ転送する転送手段と、前記ファクシミリ装置が印刷できない状態を検知した際、前記サーバに受信文書を転送するよう前記転送手段を制御する制御手段とを備えたことを特徴とするファクシミリ装置。
【請求項２】
請求項１記載のファクシミリ装置において、前記制御手段は、前記ファクシミリ装置が印刷可能状態に復帰したら前記サーバから受信文書を引き取るよう前記転送手段を制御するとともに、引き取った受信文書を印刷するように制御することを特徴するファクシミリ装置。
【請求項３】
請求項１記載のファクシミリ装置において、前記制御手段は、前記サーバに受信文書を転送したことをメールにて通知する制御を行うことを特徴とするファクシミリ装置。
【請求項４】
請求項１記載のファクシミリ装置とサーバがネットワーク接続されたファクシミリネットワークシステム。
【発明の詳細な説明】
【技術分野】
【０００１】
本発明は、ファクシミリ装置に関し、特に印刷不可能状態を検出して受信文書を保存する方法に関するものである。
【背景技術】
【０００２】
ファクシミリ装置においては、プロッタ部が紙なしや異常、トナーエンド等の状態で印刷ができない状態の時がある。そのような印刷ができない状態の時に受信画像は機器内部のメモリに蓄積されていく。
【発明の開示】
【発明が解決しようとする課題】
【０００３】
上述したように、ファクシミリ装置においては、印刷ができない状態の時に受信画像は機器内部のメモリに蓄積されていくが、メモリがフル状態になると次の受信ができない状態になってしまうという問題がある。
本発明は、そのような背景の基になされたものであり、メモリの状態の如何に関わらず受信が可能なファクシミリ装置及びファクシミリネットワークシステムを提供することを目的とする。
【課題を解決するための手段】
【０００４】
上記目的を達成するために、請求項１記載の発明は、ネットワークに接続されたサーバと通信を行うファクシミリ装置において、前記サーバと通信を行い受信文書を前記サーバへ転送する転送手段と、前記ファクシミリ装置が印刷できない状態を検知した際、前記サーバに受信文書を転送するよう前記転送手段を制御する制御手段とを備えたことを特徴とする。
請求項２記載の発明は、請求項１記載のファクシミリ装置において、前記制御手段は、前記ファクシミリ装置が印刷可能状態に復帰したら前記サーバから受信文書を引き取るよう前記転送手段を制御するとともに、引き取った受信文書を印刷するように制御することを特徴する。
請求項３記載の発明は、請求項１記載のファクシミリ装置において、前記制御手段は、前記サーバに受信文書を転送したことをメールにて通知する制御を行うことを特徴とする。
請求項４記載の発明は、請求項１記載のファクシミリ装置とサーバがネットワーク接続されたファクシミリネットワークシステムを最も主要な特徴とする。
【発明の効果】
【０００５】
本発明によれば、受信文書が印刷できない場合は、ネットワーク接続されたサーバにその受信文書を転送するので、メモリの状態の如何に関わらず受信が可能なファクシミリ装置を提供することができる。
サーバに蓄積された受信文書を機器の印刷が可能となった状態で再印刷することができる。
また、機器が印刷できない状態であることを機器の管理者に知らせ復旧を促すことができる。
【発明を実施するための最良の形態】
【０００６】
以下、本発明の実施の形態を図面に従って説明する。
図１は本発明のファクシミリネットワークシステムの構成図である。本ファクシミリネットワークシステムは、一般公衆網１に接続されたファクシミリ装置２（２−１、２−２）と、そのファクシミリ装置２−２とがネットワーク３を介して接続されファクシミリ装置２−２の受信した文書を蓄積しておくサーバ４とから構成される。
図２は本発明の実施の形態に係るファクシミリ装置の構成図である。図２において、スキャナ部１１は、機器（ファクシミリ装置２）の送信原稿を読み取り２値化データに変換するユニットである。プロッタ部１２は、受信した原稿や各種レポート類を印刷するユニットである。
操作表示部１３は、ユーザー操作や各種ＬＥＤ点灯、メッセージ表示を行うユニットである。画像圧縮伸張部１４は、画像をＩＴＵ―Ｔ  Ｔ．４規格に準じて圧縮／伸張するユニットである。画像データ蓄積部１５は、送信時に一時的に圧縮データを蓄積したり受信時に受信した圧縮データを蓄積しておくユニットである。
モデム１６は、公衆回線で機器のアナログ信号をやり取りするためにデータの変調／復調を行うユニットである。ＣＰＵ／メモリ（ＲＯＭ／ＲＡＭ）１７は、ソフト全体を制御するユニットである。
ＮＣＵ１８は、アナログ一般公衆網とのインターフェースである。ＮＩＣ１９は、ＬＡＮと接続するためのユニットである。メールフォーマット作成部２０は、機器の状態を通知するためのメールのフォーマットを作成するユニットである。
【０００７】
図３は印刷不可時のフロー図である。一般公衆網１を介してＮＣＵ１８によりリンギング信号を検出したら回線を接続しファクシミリの受信動作に入る（Ｓ１でＹ）。この時、勧告化されたＴ．３０に従ったプロトコルで受信を行う。受信した画像は画像データ蓄積部１５に一時的に蓄積され（Ｓ２）、１ファイル受信が完了したら（Ｓ３でＹ）印刷を行う（Ｓ４）。
ここで、プロッタ部１２が紙なしや異常、トナーエンド等の状態で印刷ができない状態の時がある。その場合は、予め指定された受信ファイルを一時的に退避しておくサーバ４に転送を行う。転送のプロトコルは一般的なＦＴＰを使用するが特に規定はない。
これにより画像データ蓄積部１５に画像が溜まりメモリフル状態になり、受信ができなくなるのを防止することができる。
図４は印刷復旧時のフロー図である。印刷不可状態になった場合にプロッタ部１２の状態を常に監視しておき、例えば用紙補給やトナーの追加等により印刷可能状態になった場合に（Ｓ１でＹ）サーバ４に退避してある受信データを１ファイル毎にＦＴＰプロトコル等を使用して引き取り（Ｓ２）、印刷を行う（Ｓ３）。
図５は機械状態通知メールの一例を示す図である。印刷不可状態になった時に予め指定された管理者のメールアドレスに印刷ができない旨の内容を記載したメールを通知する。
【図面の簡単な説明】
【０００８】
【図１】本発明のファクシミリネットワークシステムの構成図である。
【図２】本発明の実施の形態に係るファクシミリ装置の構成図である。
【図３】印刷不可時のフロー図である。
【図４】印刷復旧時のフロー図である。
【図５】機械状態通知メールの一例を示す図である。
【符号の説明】
【０００９】
４  サーバ
１２  プロッタ部（プロッタ手段）
１７  ＣＰＵ／メモリ（制御手段）
１９  ＮＩＣ（通信・転送手段）
【図１】
2006173684.tif 000003
【図２】
2006173684.tif 000004
【図３】
2006173684.tif 000005
【図４】
2006173684.tif 000006
【図５】
2006173684.tif 000007